(57)【要約】【課題】重力擁護壁の型枠建込み作業現場では、型枠の傾斜下面等には従来の水平器では勾配角度、基準点からの高さの直接計測が困難であったため、その場に合わせて工夫しながら間接的に勾配角度、基準点からの高さを計測していた。勾配角度、基準点からの高さを直接計測できる勾配定規水平器を提供する。【解決手段】直方体の基台１の下面を基準面１ａにして基準面１ａの水平を計測する主気泡水平器２と、基準面を水平方向に延長計測するように延設された断面が長方形の中フレーム４と、中フレームに摺動可能に外挿される外フレーム５と、外フレーム先端を垂直方向に斜めに形成した傾斜辺５ａ、傾斜辺先端を回転中心にして基準面と直交する勾配を計測でき外フレーム筒内に収容できる角度定規７とを備え、基台と外フレーム先端との寸法を可変設定可能とした。【選択図】図２
0003131786.tif 000002
【実用新案登録請求の範囲】
【請求項１】
下面が基準面である直方体の基台と、この基台に設けられた上記基準面の水平を計測する主気泡水平器と、上記基準面を水平方向に延長計測する上記基台に延設された断面が長方形筒状の外フレームと、この外フレーム先端を垂直方向に斜めに形成した傾斜辺と、この傾斜辺の先端を回転中心にして上記基準面と直交する勾配を計測でき上記外フレーム筒内に収容できる扇形の角度定規と、計測した勾配角度の保持手段とを備えたことを特徴とした勾配定規水平器。
【請求項２】
下面が基準面である直方体の基台と、この基台に設けられた上記基準面の水平を計測する主気泡水平器と、上記基準面を水平方向に延長計測するように上記基台に延設された断面が長方形筒状の中フレームと、この中フレームに摺動可能に外挿される外フレームと、この外フレーム先端を垂直方向に斜めに形成した傾斜辺と、この傾斜辺の先端を回転中心にして上記基準面と直交する勾配を計測でき上記外フレーム筒内に収容できる角度定規と、計測した勾配角度の保持手段とを備え、上記基台と外フレーム先端との寸法を可変設定可能としたことを特徴とした勾配定規水平器。
【請求項３】
上記中フレームと外フレームとの間に前記中フレーム及び外フレームに装着可能にして、基台の基準面を維持して前記基台と前記外フレーム先端間の計測寸法間隔を伸延できる延長フレームを備えたことを特徴とした請求項２に記載の勾配定規水平器。
【請求項４】
下面が基準面である直方体の基台と、この基台に設けられた上記基準面の水平を計測する主気泡水平器と、上記基準面を水平方向に延長計測するように上記基台に延設された断面が長方形筒状の内フレームと、この内フレームに摺動可能に外挿される中フレームと、この中フレームに摺動可能に外挿される外フレームと、この外フレーム先端を垂直方向に斜めに形成した傾斜辺と、この傾斜辺の先端を回転中心にして上記基準面と直交する勾配を計測でき上記外フレーム筒内に収容できる角度定規と、計測した勾配角度の保持手段とを備え、上記基台と外フレーム先端との寸法を上記内フレームも含めて伸延して可変設定可能としたことを特徴とした勾配定規水平器。
【請求項５】
上記基台の側面に保持クリップを設け、この保持クリップに垂直方向寸法の計測をするスケールの着脱を可能として、外フレームと内フレームにストッパー系止フックの突出面に傾斜辺をつけ、指で系止フックを押さなくてもフレームを押し込むだけで弾力的に没出可能に突出した構造に形成されていることを特徴とした請求項１〜４に記載の勾配定規水平器。
【考案の詳細な説明】
【技術分野】
【０００１】本考案は土木建築現場、特にコンクリート型枠建込み作業時に使用する水平器に関する。
【背景技術】
【０００２】建設現場における型枠建込み作業の際、従来は市販の水平器または例えば実用新案登録第３０１７９４５号公報に示されるような水平器を使用している。
【考案の開示】
【考案が解決しようとする課題】
【０００３】この様な水平器では基準点から計測対象物までの水平と幅寸法の直接計測が可能であるが、基準点からの計測対象物の傾き、高さを直接計測することができなかった。
重力擁護壁の型枠建込み作業現場では傾斜した型枠下面等ではコンクリートを打つ高さの計測において、壁頂幅が広い場合（２０センチ超）はその場に合わせて工夫しながら間接的に勾配角度、基準点からの高さを計測していた。
従来の水平器では直接計測が困難であった壁頂幅が広い場合の計測対象物の勾配角度、基準点からの高さをも直接計測できる勾配定規水平器を提供する。
【課題を解決するための手段】
【０００４】この考案の勾配定規水平器は、基台の下面が基準面であり、この基準面の水平を計測する主気泡水平器と、基準面を水平方向に延長計測するように延設された断面が長方形筒状の外フレームと、外フレーム先端を垂直方向に斜めに形成した傾斜辺と、この傾斜辺の先端を回転中心にして基準面と直交する勾配を計測でき外フレーム筒内に収容できる角度定規とを備えたものである。【０００５】そして、基台の下面が基準面であり、この基準面の水平を計測する主気泡水平器と、基準面を水平方向に延長計測するように延設された断面が長方形の中フレームと、この中フレームに摺動可能に外挿される外フレームと、外フレーム先端を垂直方向に斜めに形成した傾斜辺と、傾斜辺先端を回転中心にして基準面と直交する勾配を計測でき外フレーム筒内に収容できる角度定規とを備え、基台と外フレーム先端との寸法を可変設定可能としたものである。【０００６】また、中フレームと外フレームとの間に中フレーム及び外フレームに装着可能にして、基台の基準面を維持して基台と外フレーム先端間の計測寸法間隔を伸延できる延長フレームを備えたものである。【０００７】そして、基台の下面が基準面であり、この基準面の水平を計測する主気泡水平器と、基準面を水平方向に延長計測するように延設された断面が長方形の中フレームと、この中フレームに摺動可能に外挿される中フレームと、この中フレームに摺動可能に外挿される外フレームと、外フレーム先端を垂直方向に斜めに形成した傾斜辺と、傾斜辺先端を回転中心にして基準面と直交する勾配を計測でき外フレーム筒内に収容できる角度定規とを備え、基台と外フレーム先端間の寸法を中フレームを含めて可変設定可能としたものである。【０００８】そしてまた、基台の側面に保持クリップを設け、この保持クリップに垂直方向寸法の計測ができるようにスケールの装着を可能としたものである。
【考案の効果】
【０００９】この考案の勾配定規水平器によれば、重力擁護壁の型枠建込み作業現場等における、壁頂幅が広い場合（２０センチ超）の、型枠の傾斜下面の壁長方向に沿う各要所にコンクリートを打つ高さを基準測点から水平レベル器で設定した各基準点から容易に直接計測し各要所に墨点をつけることができる。【００１０】図６は勾配定規水平器の使用状況を説明する図であり、（Ａ）は従来の水平器を使用の場合、（Ｂ）は本考案の勾配定規水平器の使用を示す。
従来、水平器が短いので重力擁護壁の壁頂幅が広い場合は、基準点から水平器に型枠端板片などを保持沿わせて要所の計測・墨つけをしていた。この場合水平器に板片を正確に水平方向に保持することが困難で誤差を生じていた。そして、基準点と計測点が大きく離れたときは一人での作業が困難であり複数人を必要とした。また、基準測点から計測・墨つけした部分の傾斜と壁長方向に沿う他要所の勾配傾斜角の誤差を知ることができなかった。【００１１】本考案の勾配定規水平器の使用したときは、基準点から勾配定規水平器を水平に保った状態で伸延して計測要所の型枠板に当たった位置の水平度が精度よく墨つけできる。そして、基準点と勾配定規水平器の寸法は擁護壁頂幅の基準幅となり、この寸法を移設できることで他所の壁頂幅の設定も容易となる。また、型枠板の勾配傾斜角を測定しておくことで、他所の勾配傾斜角の誤差を知ることが出来るとともに、計測角度を固定できるので、固定された計測角度に合わせて型枠板の勾配角度の修正が容易となる。
【考案を実施するための最良の形態】
【実施例１】
【００１２】図１は本考案の実施例１の勾配定規水平器の斜視図である。図において、基台１は直方体からなり底面は基準面１ａであり、基準面１ａを水平面に置いたとき上面に位置する主気泡水平器２の気泡がその長手方向の中心に来るようになっている。また、側面に設けられた副気泡水平器３は反対側面を水平面に置いたとき副気泡水平器３の気泡が中心に来るようになっている。逆に気泡が中心に来ることで、基準面１ａを置いた部位が垂直であることが計測できる。【００１３】基台１の長手方向の一方の面から断面が長方形筒状の外フレーム５が延設されている。外フレーム５の底面は基準面１ａと厳密に平行に設けてあり、基準面１ａと同一平面を得るようになっている。外フレーム５の下辺の突端５ｂから上下方向に斜に傾斜辺５ａが形成され、基準面１ａに対して傾斜辺５ａは角度αに形成されている。そして、突端５ｂ部に回転軸８を回転中心とした扇形の角度定規７が設けられ、扇形の大部分は傾斜辺５ａから筒状外フレーム５の中に回転して収容されるようになっている。【００１４】都合上、図２を参照にして説明する。角度定規７を回転させて引き出し、突端５ｂに位置する勾配計測対象にあてがう勾配当接面７ａが設けてあり、勾配当接面７ａから角度βの位置に角度定規基準線７ｂが引かれている。この角度βは、傾斜辺５ａの基準面１ａに対する角度αとはα＋β＝９０度の関係にしている。【００１５】従って、勾配計測対象に勾配当接面７ｄを沿わせて角度定規基準線７ｂと傾斜辺５ａ間の角度を読み取ることで計測対象の勾配を計測できる。
角度定規７で計測した勾配角度はガイド孔５ｂを介して角度定規７に設けた雌ネジに固定ネジ９で固定できるので、他の場所へ計測勾配角度の移設が可能である。
【実施例２】
【００１６】図２は本考案の実施例２の勾配定規水平器の分解斜視図である。基台１の長手方向の一方の面から外フレーム５より一回り断面が小さい長方形の中フレーム４が延設されている。中フレーム４に外フレーム５を挿入した際に角度定規７が中フレーム４と干渉しないように中フレーム４の先端には角度定規逃し部４ａが形成してある。また、中フレーム４の側面にストッパー孔４ｂが設けられている、ストッパー孔４ｂからストッパー６の系止フック６ａが弾力的に没出可能に突出している。【００１７】中フレーム４は角柱材でよいが、本実施例では角柱筒を用いている。角柱筒にすることで該勾配定規水平器を軽量にできる。そして、角柱筒の中に薄弾性板を略コ字に曲げたストッパー６を押し込み、コ字辺の先端部に形成してある系止フック６ａをコ字辺が開く方向の弾力でストッパー孔４ｂに引っ掛けストッパー６を止める。ストッパー孔４ｂから突出した系止フック６ａは外フレーム５を中フレーム４に完全に差し込んだ際に、フック孔５ｄに系合して不用意な外フレーム５の抜け移動を阻止する。系止フック６ａを指で押し込み外フレーム５を引き出すと次に系止フック６ａフック孔５ｃに系合し、このとき該勾配定規水平器は最長に延伸される。このとき突端５ｂと基準面１ａの水平が維持できる位置にフック孔５ｃを設けている。【００１８】外フレーム５と中フレーム４が滑らかに摺動できるようになっており、中フレーム４の底面は基準面１ａと厳密に平行に設けてあり、外フレーム５を中フレーム４から抜く途中のいずれの位置においても外フレーム５の底辺の肉厚を加味した外フレーム５の底面は基準面１ａと同一平面を得るようになっている。【００１９】フック孔５ｃとフック孔５ｄとの寸法がＬ２であれば、該勾配定規水平器は外フレーム５を中フレーム４に完全に差し込んだときは基台１から外フレーム５の突端５ｂまでの寸法がＬ１であるが系止フック６ａにフック孔５ｄが系合する延伸時には基台１から外フレーム５の突端５ｂまでの寸法をＬ１＋Ｌ２に延長することができる。【００２０】作業現場において該勾配定規水平器をＬ１からＬ１＋Ｌ２間の必要寸法に延伸し、フレーム固定ネジ１０で必要寸法を固定したままで、他の場所に寸法を移設でき、主気泡水平器２により移設場所の水平を計測できる。
また、フレーム固定ネジ１０で中フレーム４下辺を外フレーム５の下辺内面に押し付けることで突端５ｂと基準面１ａの水平が精度よく維持できる。
【実施例３】
【００２１】図３は本考案の実施例３の勾配定規水平器の分解斜視図である。延長フレーム２０は延長中フレーム２１と延長外フレーム２２を接続して構成され、接続のための重複部を除く部分は、延長中フレーム２１は中フレーム４と同一構造である。延長外フレーム２２は傾斜辺５ａ部分が延長中フレーム２１との接続重複部となっている以外は外フレーム５と同一構造である。延長フレーム２０の接続部は緩みやガタが無いことと、接続による突起が無いことが求められる。【００２２】中フレーム４に外フレーム５が着装された状態にあり系止フック６ａがフック孔５ｃに系合していても、系止フック６ａを指で押し込むことで、外フレーム５の引き抜き取り外しが可能である。そして、延長外フレーム２２は中フレーム４が挿着可能であり、延長中フレーム２１には外フレーム５が挿着可能となっている。【００２３】延長フレーム２０を取り付けた状態は、実施例２で説明した勾配定規水平器では最長Ｌ１＋Ｌ２の寸法移設が限界であるが、延長フレーム２０を中間に装着することで、実施例３のものでは最大計測移設寸法を実施例２のものの約２倍にすることができる。
【実施例４】
【００２４】図４は本考案の実施例４の勾配定規水平器の斜視図、図５は分解斜視図である。図において図１から図３で同一符号は既説明と同様のものである。基台１の長手方向の一方の面に上述の中フレーム４より一廻り断面が小さい断面が長方形の角柱筒の内フレーム３０が延設されている。内フレーム３０にも外フレーム５を挿入した際に角度定規７が内フレーム３０と干渉しないように内フレーム３０の先端部には角度定規逃し部３０ａが形成してあり、側面にストッパー孔３０ｂが設けられている。ストッパー孔３０ｂから角柱筒内に押し込んだ上述のストッパー６の系止フック６ａが弾力的に没出可能に突出している。【００２５】この内フレーム３０に上述の中フレーム４が摺動可能に外挿される。中フレーム４の側面にはストッパー孔４ｂが設けられており、ストッパー孔４ｂにストッパー６の系止フック６ａは弾力的に系止でき、外フレーム５と接触しない高さに突出する。
先端に角度定規７が設けられた外フレーム５を中フレーム４に摺動可能に外挿される。したがって、実施例４の勾配定規水平器は内フレーム３０、中フレーム４、外フレーム５がそれぞれ摺動可能な３段引出し構造に形成されている。そしてフック孔５ｃにストッパー１５が取り付けられており、外フレーム５を引き伸ばした際の水平確保できる位置と抜け脱落を防止する。図４は３段引出し途中の状態を示しているが、外フレーム５を基台１へ押し付けると、内フレーム３０および中フレーム４を覆い最短の状態になる。【００２６】角度定規７の固定手段として実施例４のものは、摩擦係数の大きい素材からなる固定ネジ９を角度定規７の扇周にスライド溝５ａを介して固定ネジ  ９で押し付けるようにしたものである。角度定規７の動きを邪魔しないように中フレーム４と内フレーム３０には角度定規逃し部４ａが設けられている。
【実施例５】
【００２７】また、基台１の側面に弾性板材からなる保持クリップ１１を取り付けることで、この保持クリップ１１にスケール１２が着脱可能になり、スケール１２を装着して作業遂行時の基準測点に置かれた基準面１ａからの垂直方向の計測が容易になる。
【図面の簡単な説明】
【００２８】
【図１】  本考案の実施例１の勾配定規水平器の斜視図である。
【図２】  本考案の実施例２の勾配定規水平器の分解斜視図である。
【図３】  本考案の実施例３の勾配定規水平器の斜視図である。
【図４】  本考案の実施例４の勾配定規水平器の斜視図である。
【図５】  本考案の実施例４の勾配定規水平器の分解斜視図である。
【図６】  本考案の勾配定規水平器の使用を説明する図である。
【符号の説明】
【００２９】１    基台
１ａ  基準面
２    主気泡水平器
４    中フレーム
４ａ  角度定規逃部
５    外フレーム
５ａ  傾斜辺
５ｂ  突端
５ｃ、５ｄ  フック孔
５ｅ  ガイド孔
６    ストッパー
６ａ  系止フック
７    角度定規
１１  保持クリップ
１２  スケール
１５  ストッパー系止フック
２０  延長フレーム
２１  延長中フレーム
２２  延長外フレーム
３０  内フレーム
【図１】
0003131786.tif 000003
【図２】
0003131786.tif 000004
【図３】
0003131786.tif 000005
【図４】
0003131786.tif 000006
【図５】
0003131786.tif 000007
【図６】
0003131786.tif 000008